(57)【要約】【課題】  緊急時に簡単な操作によって再生したい監視画像を直ちに再生することができる監視システムを提供する。【解決手段】  監視カメラ１２で撮像した画像を、画像記録手段２４により数秒から数十秒単位に細分化された一連の録画ファイルとして順次記録しておき、緊急対応時に操作される一発再生ボタン２６を操作することにより、一発再生機能２３ｃにより予め設定した時間さかのぼったタイミングの前記録画ファイルをモニタ１４上に再生させるようにしたので、緊急時において必要とする画像情報を直ちに把握することができる。【選択図】図１
2005286364.tif 000002
【特許請求の範囲】
【請求項１】
監視カメラを有する監視システムであって、
前記監視カメラで撮像した画像を数秒から数十秒単位に細分化された一連の録画ファイルとして順次記録する画像記録手段と、
緊急対応時に操作される一発再生ボタンを有し、この一発再生ボタンの操作時刻から予め設定した時間さかのぼった時刻の前記録画ファイルを再生させる一発再生機能を有する制御手段と、
を備えたことを特徴とする監視システム。
【請求項２】
監視カメラは複数台設けられており、画像記録手段は、各監視カメラに対応したチャンネル毎に細分化された一連の画像ファイルをそれぞれ記録しており、制御手段は一発再生対象のチャンネルを選択するチャンネル選択スイッチを有することを特徴とする請求項１に記載の監視システム。
【発明の詳細な説明】
【技術分野】
【０００１】
本発明は、警備用の監視カメラを有する監視システムに関する。
【背景技術】
【０００２】
近年、警備システムとして、警報装置と監視カメラとを組み合わせた監視システムが広く用いられるようになっている（例えば、特許文献１参照）。
【０００３】
このような監視システムでは、事件等の発生により警報装置が作動した場合、直ちに警備員を現場に急行させている。また、監視室では監視カメラで撮像した画像をモニタで確認し、現場の状況を、現場に急行した警備員にトランシーバなどで連絡している。
【０００４】
すなわち、現場の画像から不審者の人数や服装などを確認し、確認した情報を警備員に連絡する。また、現在の画像情報と共に警報発生数秒前の現場の状況画面も把握する必要がある。例えば、塀を乗り越えたことを検出する警報装置が作動した場合、不審者が塀を乗り越えて進入したのか、或いは塀を乗り越えて外に出たのかを確認することは警備上重要である。
【０００５】
このような状況は、警報発生時の直前の監視画像から把握することができる。通常、監視カメラの画像は録画されているので、警報発生時直前の監視画像は録画情報を再生することにより目視確認できる。
【０００６】
このような監視システムに用いられる従来の画像監視レコーダの再生機能は、先ず、再生対象を検索するために再生メニュー画面を表示させ、このメニュー画面に再生対象の時刻情報などを入力して、一々指定しなければならない。このため、操作が面倒であり、緊急時の対応に手間取ることがある。
【特許文献１】特開２００３−３２３７７号公報
【発明の開示】
【発明が解決しようとする課題】
【０００７】
このように、従来の監視システムでは、再生操作が煩雑であり、緊急時の対応に手間取るという問題があった。
【０００８】
本発明の目的は、緊急時に簡単な操作によって再生したい監視画像を直ちに再生することができる監視システムを提供することにある。
【課題を解決するための手段】
【０００９】
本発明の監視システムは、監視カメラを有するもので、前記監視カメラで撮像した画像を数秒から数十秒単位に細分化された一連の録画ファイルとして順次記録する画像記録手段と、緊急対応時に操作される一発再生ボタンを有し、この一発再生ボタンの操作時刻から予め設定した時間さかのぼった時刻の前記録画ファイルを再生させる一発再生機能を有する制御手段とを備えたことを特徴とする。
【００１０】
また、本発明では、監視カメラは複数台設けられており、画像記録手段は、各監視カメラに対応したチャンネル毎に細分化された一連の画像ファイルをそれぞれ記録しており、制御手段は一発再生対象のチャンネルを選択するチャンネル選択スイッチを持つ構成としてもよい。
【発明の効果】
【００１１】
本発明によれば、監視カメラで撮像した画像を数秒から数十秒単位に細分化された一連の録画ファイルとして順次記録しておき、緊急対応時に操作される一発再生ボタンを操作することにより、その操作時刻から予め設定した時間さかのぼった時刻の前記録画ファイルを再生させるようにしたので、緊急時において必要とする画像情報を直ちに把握することができる。
【発明を実施するための最良の形態】
【００１２】
以下、本発明による監視システムの一実施の形態について、図面を用いて詳細に説明する。
【００１３】
図１は、この実施の形態における監視システムの特徴部分を表す機能ブロック図、図２は、全体構成を示すシステム構成図、図３は、録画画像データとアラーム及び一発再生ボタンとの動作関係を説明するタイミングチャートである。
【００１４】
始に、図２により全体構成を説明する。１１は警報装置で、不審者などを検知する外部センサー１１Ａ，１１Ｂと、ドアの開閉を検出するドアセンサー１１Ｃ、１１Ｄなどからなる。１２Ａ，１２Ｂ，１２Ｃ，１２Ｄは監視カメラで、上記各警報装置１１に対応して設置されており、警報装置１１の検出範囲を撮影する。
【００１５】
１３は監視制御用のディジタルレコーダで、前記各警報装置１１Ａ，１１Ｂ，１１Ｃ，１１Ｄが検出したセンサー信号を入力すると共に、各監視カメラ１２Ａ，１２Ｂ，１２Ｃ，１２Ｄが撮影したカメラ映像信号をそれぞれ入力し、これらを録画する。１４はモニタで、ディジタルレコーダ１３に接続され、ディジタルレコーダ１３に入力された画像情報をライブ画像として表示すると共に、ディジタルレコーダ１３により再生された画像情報を表示する。このモニタ１４は図では１個のみ表示されているが、もちろん複数個用意してもかまわない。
【００１６】
次に、ディジタルレコーダ１３の処理機能を図１により説明する。図１において、２１はキャプチャボードで、図２で示した各監視カメラ１２Ａ，１２Ｂ，１２Ｃ，１２Ｄからのカメラ映像信号（NTSC信号）を入力し、ディジタル信号に変換する。このディジタル信号は、ライブ画像として図２で示したモニタ１４に出力されると共に、画像圧縮回路２２を介して制御手段２３に出力される。
【００１７】
制御手段２３は、画像圧縮回路２２で圧縮されたディジタル信号、すなわち、各監視カメラ１２Ａ，１２Ｂ，１２Ｃ，１２Ｄで撮影した画像情報を入力する。この制御手段２１のレコーダＣＰＵ２３ａは、入力された各監視カメラ１２Ａ，１２Ｂ，１２Ｃ，１２Ｄからの画像情報を、ＨＤＤなどの画像記録手段２４に与える。画像記録手段２４は、監視カメラ１２Ａ，１２Ｂ，１２Ｃ，１２Ｄからの画像情報を、図３で示すように、数秒から数十秒単位に細分化された一連の録画ファイル（ａ１〜ａ６，ｂ１〜ｂ６，ｃ１〜ｃ６，ｄ１〜ｄ６）として順次作成（記録）する。
【００１８】
また、制御手段２３は、通常の検索再生機能２３ｂと一発再生機能２３ｃとを有する。通常の検索再生機能２３ｂは、従来と同様に図示しないメニュー画面などを用い、このメニュー画面から、再生したい日時などに関する通常検索再生入力２５を入力することにより、該当部分の画像ファイルを検索し、その再生画像情報を図２で示したモニタ１４に出力して表示させる。
【００１９】
一発再生機能２３ｃは、別途設けられた一発再生ボタン２６の操作に伴い動作する。この一発再生ボタン２６は、アラーム発生などの緊急対応時に、監視員などにより操作されるものである。一発再生機能２３ｃには、予め決定された再生パターンが記憶されている。この再生パターンとは、例えば、一発再生ボタン２６の操作時点の１０秒前（或いは５秒前）の時刻の録画ファイルを再生するという時間情報である。
【００２０】
したがって、一発再生機能２３ｃは、一発再生ボタン２６の操作に伴い、この操作時刻から予め設定した時間さかのぼった時刻の録画ファイルを再生し、その再生画像情報を、図２で示したモニタ１４上に出力する。
【００２１】
また、制御手段２３は、図示しないがチャンネル選択スイッチを有する。すなわち、監視カメラは複数台設けられており、画像記録手段２４は、各監視カメラ１２Ａ，１２Ｂ，１２Ｃ，１２Ｄに対応したチャンネル毎に細分化された一連の画像ファイルをそれぞれ記録しているので、チャンネル選択スイッチを設け、これを操作することにより一発再生対象のチャンネルを選択する。
【００２２】
上記構成において、各監視カメラ１２Ａ，１２Ｂ，１２Ｃ，１２Ｄは、常時対応箇所を撮影し、そのカメラ映像信号はディジタルレコーダ１３にそれぞれ入力される。これらカメラ映像信号は、ディジタルレコーダ１３において、図１で示したキャプチャボード２１に入力され、ディジタル信号に変換される。このディジタル信号はライブ画像としてモニタ１４に表示出力されると共に、画像圧縮回路２２で圧縮され、制御手段２３に入力される。制御手段２３では、画像圧縮回路２２で圧縮された、監視カメラ１２Ａ，１２Ｂ，１２Ｃ，１２Ｄからの画像情報を画像記録手段２４に与える。画像記録手段２４は、この画像情報を、図３で示すように、数秒から数十秒単位に細分化された一連の録画ファイル（ａ１〜ａ６，ｂ１〜ｂ６，ｃ１〜ｃ６，ｄ１〜ｄ６）として順次作成（記録）する。
【００２３】
このような状態において、事件などが発生し、警報装置１１のいずれかからセンサー入力が生じると、監視室等に設けられたディジタルレコーダ１３はアラームを発生する。例えば、外部センサー１１Ｂが動作すると、図３で示すようにアラームＢが発生する。監視員は、このアラームを受け、アラーム発生箇所を撮影しているカメラ１２Ｂのライブ画像をモニタ１４で監視しながら、警備員をアラーム発生現場に派遣する。
【００２４】
また、監視員は、アラーム発生直前の現場の映像を確認するため、一発再生ボタン２６を操作する。図３の例ではアラームＢが発生してから一発再生ボタン２６が操作されたことを示している。一発再生機能２３ｃでは、一発再生ボタン２６が操作されると、その操作時刻から予め設定してあった時間Ｔ（例えば、１０秒とする）さかのぼった時刻の録画ファイルを再生出力する。
【００２５】
図３で示す録画ファイルは、例えば５秒単位で細分化されているものとする。アラームＢに対応するカメラ１２Ｂの録画ファイルについてみると、１０秒さかのぼった時刻の録画ファイルはｂ３であり、この録画ファイルｂ３が最初から再生される。このため、アラームＢが発生した直前を含む現場の画像をモニタ１４に表示することができる。
【００２６】
なお、各監視カメラ１２Ａ，１２Ｂ，１２Ｃ，１２Ｄ毎にモニタ１４が設けられている場合は、一発再生ボタン２６は共通であるため、監視カメラ１２Ｂ以外の録画ファイルについても１０秒前の録画ファイルａ３，ｃ３，ｄ３がそれぞれ再生され、対応するモニタ１４に表示される。もし、アラーム発生箇所に対応する監視カメラ１２Ｂの画像だけ再生したい場合は、図示しないチャンネル選択スイッチにより監視カメラ１２Ｂに対応するチャンネルを選択する。このようにすれば、録画ファイルｂ３のみを再生表示することができる。
【００２７】
ここで、録画ファイルを細分化したのは一発再生スイッチ２６の操作後、直ちに録画ファイルを再生できるようにするためである。通常、録画ファイルは、再生画像の滑らかさなどを維持するためには、１ファイルの長さは比較的長い方がよく、従来は数分単位のファイルであった。
【００２８】
しかし、録画ファイルは、再生する場合、該当ファイルが閉じていなければ読み出すことができない（再生できない）。このため、例えば、数分単位のファイルの開始時点に近い時刻でアラームが発生した場合、仮に１０秒後に一発再生ボタンを操作して、１０秒さかのぼった時刻のファイルを読み出そうとしても、このファイルは録画を継続しており、閉じていないため読み出すことができない。すなわち、数分単位の長さの残り時間経過後に、該当するファイルが閉じてこの録画ファイルが読み出し可能となるまでの時間待たなければ録画ファイルを再生することができない。
【００２９】
これに対し、前述のように録画ファイルを、例えば５秒単位で細分化していれば、アラーム発生から数秒後に一発再生ボタン２６を操作すると、図３で示すように、１０秒さかのぼった時刻の録画ファイルｂ３は既に閉じているため、この録画ファイルｂ３を直ちに読み出して再生することができる。
【００３０】
このため録画ファイルの長さは、前述のように、数秒から数十秒単位、好ましくは５秒から１０秒単位程度に細分化して、一連の録画ファイル（ａ１〜ａ６，ｂ１〜ｂ６，ｃ１〜ｃ６，ｄ１〜ｄ６）として作成する。
【００３１】
なお、一発再生ボタン２６を操作するタイミングによっては、所定時間さかのぼった時刻のファイルが、アラーム発生時刻のファイルと異なることもある。しかし、所定時間さかのぼった時刻のファイルを再生表示することにより、このファイルがアラーム発生時刻のファイルでなくとも、逆再生機能や早送り機能により直ちにアラームが生じたときのファイルを表示させることができ、問題はない。
【００３２】
このように、アラーム発生時点前後の画像を緊急再生させたい場合は、一発再生ボタンを操作するという１動作で、操作時点より所定時間さかのぼったアラーム発生時点近辺の画像を直ちに再生することができる。このため、従来の再生メニュー画面を操作して再生させたい画像を指定する場合に比べ、格段に再生タイミングが早くなり、緊急時の対応に有効である。
【図面の簡単な説明】
【００３３】
【図１】本発明による監視システムの一実施の形態における要部構成示すシステムブロック図である。
【図２】同上一実施の形態の全体構成を示すシステム構成図である。
【図３】同上一実施の形態の動作を説明するタイミングチャートである。
【符号の説明】
【００３４】
１１    警報装置
１２    監視カメラ
２３    制御手段
２３ｃ    一発再生機能
２４    画像記録手段
２６    一発再生ボタン
【図１】
2005286364.tif 000003
【図２】
2005286364.tif 000004
【図３】
2005286364.tif 000005